(57)【要約】      （修正有）【課題】被走査写真がネガかポジかを自動的に判別してデジタル画像に変換する走査装置を提供する。【解決手段】走査装置が第１トレイを走査するとき、検出モジュールは、第１信号を生成するように識別要素を検出する。走査装置が第２トレイを走査するとき、検出モジュールは、第２信号を生成するように識別要素を検出しない。画像処理モジュールは、第１信号を受信するとき、走査画像を処理するように第１グループのパラメータを用いる。画像処理モジュールは、第２信号を受信するとき、走査画像を処理するように第２グループのパラメータを用いる。【選択図】図１
0003164843.tif 000002
【実用新案登録請求の範囲】
【請求項１】
第１タイプのオブジェクトを載置する第１トレイ；
該第１トレイに設置された第１識別要素；
第２タイプのオブジェクトを載置する第２トレイ；
前記第１識別要素を検出する検出モジュールであって、該検出モジュールは、前記第１識別要素を検出するときに、第１信号を生成し、前記第１要素が検出されないときに、第２信号を生成する、検出モジュール；
オリジナルデータを生成するように、前記第１タイプのオブジェクト及び前記第２タイプのオブジェクトを走査する走査モジュール；並びに
前記オリジナルデータを処理するために、前記検出モジュール及び前記走査モジュールに電気的に接続された画像処理モジュールであって、該画像処理モジュールは、前記第１信号を受信するときに、前記オリジナルデータを処理するように第１グループのパラメータを用い、前記第２信号を受信するときに、前記オリジナルデータを処理するように第２グループのパラメータを用いる、画像処理モジュール；
を有する走査装置。
【請求項２】
請求項１に記載の走査装置であって、前記第２トレイに設置された第２識別要素を更に有し、前記検出モジュールは、前記第２識別要素を検出するときに、前記第２信号を生成する、走査装置。
【請求項３】
請求項１に記載の走査装置であって、前記第１識別要素は反射器バーであり、前記検出モジュールは、前記反射器バーを検出する光センサを有する、走査装置。
【請求項４】
請求項１に記載の走査装置であって、前記第１識別要素は磁気バーであり、前記検出モジュールは、前記磁気バーを検出する磁気センサを有する、走査装置。
【請求項５】
請求項１に記載の走査装置であって、前記第１識別要素はＲＦＩＤタグであり、前記検出モジュールは、前記ＲＦＩＤタグを検出するＲＦＩＤリーダを有する、走査装置。
【請求項６】
請求項１に記載の走査装置であって、前記検出器モジュールはボタンスイッチを有し、前記第１識別要素は、前記第１信号を生成する前記ボタンスイッチを有する溝である、走査装置。
【請求項７】
請求項１に記載の走査装置であって、前記検出器モジュールはボタンスイッチを有し、前記第１識別要素は、前記第１信号を生成する前記ボタンスイッチを押す押し上げスイッチである、走査装置。
【請求項８】
請求項１に記載の走査装置であって、前記第１タイプのオブジェクトはネガであり、前記第２タイプのオブジェクトはポジである、走査装置。
【請求項９】
請求項８に記載の走査装置であって、前記第１グループのパラメータは、ガンマ調整、露出調整及びホワイトバランス調整のためのネガ調整パラメータを有する、走査装置。
【請求項１０】
請求項８に記載の走査装置であって、前記第２グループのパラメータは、ガンマ調整、露出調整及びホワイトバランス調整のためのポジ調整パラメータを有する、走査装置。
【考案の詳細な説明】
【技術分野】
【０００１】
本考案は走査装置に関し、特に、画像処理モードを自動的に切り換えることができる走査装置に関する。
【背景技術】
【０００２】
ディジタル技術が発展するにつれて、画像データはディジタル形式で記憶される。走査装置は、写真をディジタル画像に変換するばかりでなく、ネガ（フィルム）及びポジ（スライド）をディジタル画像に変換する。ネガ及びポジの形状が異なるため、ユーザは、ネガを載置するネガ用トレイ及びポジを載置するポジ用トレイを用いる必要がある。その場合、ネガ用トレイ又はポジ用トレイは、走査装置がネガ又はポジを走査することができるように、走査装置に接続される。
【０００３】
更に、ネガ又はポジがディジタル画像に対して走査された後、走査装置は、異なる調整パラメータに従ってネガ及びポジからディジタル画像のための画像処理を実行する。今日、ユーザは、ネガ及びポジの走査動作を切り換えるために、ネガ及びポジについての調整パラメータを手動で設定しなければならない。それらの調整パラメータには、ガンマ調整、露出調整及びホワイトバランス調整がある。従って、ユーザは、走査されるようになっているオブジェクトがネガであるかポジであるかを決定し、ネガ又はポジについての走査モードを切り換える必要がある。ユーザが、ネガ又はポジについて間違った走査モードを設定した場合、走査装置は画像を適切に処理することができず、画像の異常色をもたらす。
【０００４】
結論として、走査装置は、今日、画像処理の重要な役割を果たしている。走査装置は、従来技術に従って、ネガ及びポジをディジタル画像に変換することができる。走査装置は、ネガ及びポジのディジタル画像の処理するように異なる調整パラメータを用いる必要があるため、ユーザは、ネガ及びポジについての調整パラメータを手動で設定しなければならない。しかしながら、殆どのユーザは、走査装置の動作に精通していず、更には、走査されるオブジェクトに従ってユーザが走査モードを切り換えることは不便である。
【考案の概要】
【考案が解決しようとする課題】
【０００５】
従って、本考案の目的は、画像処理モードを自動的に切り換えることができる走査装置を提供することである。
【課題を解決するための手段】
【０００６】
本考案の実施形態に従って、走査装置が備えられる。走査装置は、第１トレイと、第１識別要素と、第２トレイと、検出モジュールと、走査モジュールと、画像処理モジュールとを有する。第１トレイは第１タイプのオブジェクトを載置する。第１識別要素が第１トレイに設置される。第２トレイが第２タイプのオブジェクトを載置する。検出モジュールは第１識別要素を検出し、検出モジュールは、第１識別要素を検出したとき、第１信号を生成し、第１要素が検出されないとき、第２信号を生成する。走査モジュールは、オリジナルデータを生成するように、第１タイプのオブジェクト及び第２タイプのオブジェクトを走査する。画像処理モジュールは、オリジナルのデータを処理するように、走査モジュール及び検出モジュールに電気的に接続され、画像処理モジュールは、第１信号を受信するときに、オリジナルのデータを処理するように第１グループのパラメータを用い、第２信号を受信するときに、オリジナルのデータを処理するように第２グループのパラメータを用いる。
【０００７】
本発明の上記の及び他の目的は、添付図に例示されている好適な実施形態についての以下の詳述を読むことにより、当業者が理解することができることは疑う余地のないところである。
【図面の簡単な説明】
【０００８】
【図１】本考案に従った走査装置のブロック図である。
【図２】本考案に従った走査装置の第１実施形態の模式図である。
【図３】ネガトレイの模式図である。
【図４】ポジトレイの模式図である。
【図５】本考案の走査装置の第２実施形態の模式図である。
【図６】本考案の走査装置の第３実施形態の模式図である。
【考案を実施するための形態】
【０００９】
図１を参照する。図１は、本考案に従った走査装置のブロック図である。走査装置１００は、トレイインタフェース１１０と、検出モジュール１２０と、走査モジュール１３０と、画像処理モジュール１４０と、出力モジュール１５０とを有する。トレイインタフェース１１０は、第１トレイ１１１及び第２トレイ１１２を接続することができる。ネガ及びポジの形状は異なるため、ネガ及びポジは、走査装置１００がトレイインタフェース１１０からそれらのネガ及びポジを読み取ることができるように、異なるタイプのトレイに載置される必要がある。第１トレイ１１１に載置される第１タイプのオブジェクトはネガであり、第２トレイ１１２に載置される第２タイプのオブジェクトはポジである。第１トレイ１１１及び第２トレイ１１２は交換できない。本発明の走査装置１００は、トレイにおいて設定される識別要素に従って画像処理モードを自動的に切り換えることができる。ネガが第１トレイ１１１に載置され、トレイインタフェース１１０に接続されるとき、検出モジュール１２０は、第１信号Ｓ１を生成するように、第１識別要素を検出し、一方、走査モジュール１３０は、オリジナルデータ１３１を生成するように、第１トレイ１１１においてネガを走査する。画像処理モジュール１４０は、第１信号Ｓ１に従ってオリジナルデータ１３１を処理するように第１グループのパラメータ１４１を用いる。第１グループのパラメータには、ガンマ調整、露出調整及びホワイトバランス調整のためのネガ調整パラメータがある。他方、ポジが第２トレイ１１２に載置され、トレイインタフェース１１０に接続されるとき、検出モジュール１２０は、第２信号Ｓ２を生成するように第１識別要素を検出せず、一方、走査モジュール１３０は、オリジナルデータ１３１を生成するように第１トレイ１１２においてポジを走査する。他の実施形態においては、検出モジュール１２０は、第２信号Ｓ２を生成するように、第２トレイ１１２において設置される第２識別要素を検出することができる。画像処理モジュール１４０は、第２信号Ｓ２に従ってオリジナルデータ１３１を処理するように第２グループのパラメータ１４２を用いる。第２グループのパラメータには、ガンマ調整、露出調整及びホワイトバランス調整のためのポジ調整パラメータがある。その場合、画像処理モジュール１４０は、表示装置１６２及び記憶装置１６１に出力するための出力モジュール１５０の表示バッファ１５２及びキャプチャバッファ１５１における処理データを一時的に記憶する。
【００１０】
図２を参照する。図２は、本発明に従った走査装置の第１実施形態の模式図である。走査装置１００は、ハウジング２１０と、トレイ２２０と、トレイインタフェース１１０と、識別要素２４０と、制御パネル２５０と、表示装置１６２と、記憶インタフェース２７０とを有する。トレイ２２０を接続するためのトレイインタフェース１１０が、ハウジング２１０の下部に備えられている。トレイ２２０は２つのタイプを有する。第１トレイ１１１はネガトレイであり、第２トレイ１１２はポジトレイである。従来技術においては、ユーザは、走査されるオブジェクトのタイプに従って、表示装置１６２及び制御パネル２５０を介して走査装置１００の画像処理モードを切り換える必要がある。本発明のトレイ２２０は識別要素２４０を有し、従って、走査装置１００は、トレイ２２０がネガトレイである又はポジトレイであることを決定するように、それ故、画像処理モードを切り換えるように、識別要素２４０を検出することができる。本発明の実施形態においては、走査装置１００の検出モジュール１２０は、光学的検出、磁気的検出及び電気的検出を含む、トレイ２２０の識別２４０を検出する複数の方法を用いることが可能である。各々の方法は
、対応する識別要素２４０を有する。しかしながら、どの種類の方法が用いられるかに拘わらず、ネガトレイ及びポジトレイは、異なる信号を生成する走査装置１００の検出モジュール１２０を構成する。従って、走査装置１００は、異なる信号に従って画像処理モードを切り換えることが可能である。走査が終了したとき、走査装置１００は、表示装置１６２において画像を示すこと、又は記憶インタフェース２７０を介して記憶装置１６１に画像データを記憶することが可能である。
【００１１】
図３及び図４を参照する。図３はネガトレイの模式図である。図４は、ポジトレイの模式図である。ネガトレイは、キャリア３１０と、カバー３２０と、識別要素３３０とを有する。キャリア３１０は、ネガを載置するネガガイド３１２を有する。カバー３２０は、ネガがキャリア３１０に載置された後に、ネガを固定するように用いられる。ポジトレイ４００はキャリア４１０を有する。キャリア４１０は、複数のポジガイド４１２と、識別要素４３０とを有する。各々のポジガイド４１２は、１つのポジを載置して固定することが可能であり、それ故、キャリア４１０は、同時に複数のポジを載置することが可能である。走査装置１００の検出モジュール１２０は、異なる方法でネガトレイ３００の識別要素３３０及びポジトレイ４００の識別要素４３０を検出することが可能であり、それ故、ネガトレイ３００の識別要素３３０及びポジトレイ４００の識別要素４３０は、異なる信号を生成する走査装置１００の検出モジュール１２０についての対応する実施形態を有する。光学的検出については、ネガトレイ３００の識別要素３３０は明るい（ｌｉｇｈｔ）反射器バーであり、ポジトレイ４００の識別要素４３０は暗い（ｄａｒｋ）反射器バーであり、そして走査装置１００の検出モジュール１２０は光センサを有する。光センサは、明るい反射器バー及び暗い反射器バーを検出するときに、異なる信号を生成し、それ故、走査装置１００は、それに応じて、画像処理モードを切り換えることが可能である。磁気的検出については、ネガトレイ３００の識別要素３３０は磁気バーであり、ポジトレイ４００の識別要素４３０はプラスチックバーであり、走査装置１００の検出モジュール１２０は磁気センサを有する。磁気センサは、磁気バー及びプラスチックバーを検出するときに、異なる信号を生成し、それ故、走査装置１００は、それに応じて、画像処理モードを切り換えることが可能である。電子的検出については、ＲＦＩＤ技術を利用して、ネガトレイ３００の識別要素３３０は第１ＲＦＩＤタグであり、ポジトレイ４００の識別要素４３０は第２ＲＦＩＤタグであり、走査装置１００の検出モジュール１２０はＲＦＩＤリーダを有する。ＲＦＩＤリーダは、第１ＲＦＩＤタグ及び第２ＲＦＩＤタグを検出するときに、異なる信号を生成し、それ故、走査装置１００は、それに応じて、画像処理モードを切り換えることが可能である。
【００１２】
図５を参照する。図５は、本発明の走査装置の第２実施形態の模式図である。走査装置５００は、トレイインタフェース５３０において設置された押し上げボタンスイッチ（ｒａｉｓｅｄ  ｂｕｔｔｏｎ  ｓｗｉｔｃｈ）５６０を有する。走査装置５００は、そのボタンスイッチ５６０が押されないとき、走査画像を処理するようにネガ調整パラメータを用いる。従って、ネガトレイ５２０の識別要素は、ボタンスイッチ５６０を収容するための溝５４０である。ボタンスイッチ５６０は、ネガトレイが走査装置５００に接続されたときに、溝５４０に入り、それ故、ボタンスイッチ５６０は押されず、走査装置５００は、走査画像を処理するようにネガ調整パラメータを用いる。他方、ポジトレイの識別要素は平坦であり、それ故、ボタンスイッチ５６０は、ポジトレイが走査装置５００に接続されるときに、押され、そして走査装置５００は、走査画像を処理するようにポジ調整パラメータを用いる。
【００１３】
図６を参照する。図６は、本発明の走査装置の第３実施形態の模式図である。走査装置６００は、トレイインタフェース６３０に設置された押し下げボタンスイッチ６６０を有する。走査装置６００は、ボタンスイッチ６６０が押されたときに、走査画像を処理するようにネガ調整パラメータを用いる。走査装置６００は、ボタンスイッチ６６０が押されないときに、走査画像を処理するようにポジ調整パラメータを用いる。従って、ネガトレイ６２０の識別要素は、ボタンスイッチ６６０を押すための押し上げドバー（ｒａｉｓｅｄ  ｂａｒ）６４０である。押し上げバー６４０は、ネガトレイが走査装置６００に接続されるときに、ボタンスイッチ６６０を押し、それ故、走査装置６００は、走査画像を処理するようにネガ調整パラメータを用いる。他方、ポジトレイの識別要素は平坦であり、それ故、ボタンスイッチ６６０は押されず、走査装置６００は、走査画像を処理するようにポジ調整パラメータを用いる。
【００１４】
結論として、本発明に従った走査装置は、ポジトレイと、ネガトレイと、検出モジュールと、走査モジュールと、画像処理モジュールとを有する。ネガトレイ及びポジトレイの一は識別要素を有する、又は、ネガトレイ及びポジトレイの両方は異なる識別要素を有する。走査装置がネガトレイを走査するとき、検出モジュールは、識別要素に従って第１信号を生成する。走査装置がポジトレイを走査するとき、検出モジュールは、識別要素に従って第２信号を生成する。画像処理モジュールは、第１信号を受信するとき、走査画像を処理するようにネガ調整パラメータを用いる。画像処理モジュールは、第２信号を受信するとき、走査画像を処理するようにポジ調整パラメータを用いる。従って、ユーザが本発明の走査装置を用いるとき、走査されるオブジェクトのタイプに従って制御パネルを介して走査装置の画像処理モデルを切り換える必要はないことは都合がよい。
【００１５】
当業者は、上記装置及び方法についての多くの修正及び変形が、本発明を維持するときに、実行されることが可能であることを容易に理解することができる。
【符号の説明】
【００１６】
１００  走査装置
１１０  トレイインタフェース
１１１  第１トレイ
１１２  第２トレイ
１２０  検出モジュール
１３０  走査モジュール
１３１  オリジナルデータ
１４０  画像処理モジュール
１４１  第１グループのパラメータ
１４２  第２グループのパラメータ
１５０  出力モジュール
１５１  キャプチャバッファ
１５２  表示バッファ
１６１  記憶装置
１６２  表示装置
２１０  ハウジング
２２０  トレイ
２４０  識別要素
２５０  制御パネル
２７０  記憶インタフェース
３００  ネガトレイ
３１０  キャリア
３１２  ネガガイド
３２０  カバー
３３０  識別要素
４００  ポジトレイ
４１０  キャリア
４１２  ポジガイド
４３０  識別要素
５００  走査装置
５２０  ネガトレイ
５３０  トレイインタフェース
５４０  溝
５６０  押し上げボタンスイッチ
６００  走査装置
６２０  ネガトレイ
６４０  押し上げバー
６６０  押し下げボタンスイッチ
【図１】
0003164843.tif 000003
【図２】
0003164843.tif 000004
【図３】
0003164843.tif 000005
【図４】
0003164843.tif 000006
【図５】
0003164843.tif 000007
【図６】
0003164843.tif 000008
【手続補正書】
【提出日】平成22年10月6日(2010.10.6)
【手続補正１】
【補正対象書類名】実用新案登録請求の範囲
【補正対象項目名】全文
【補正方法】変更
【補正の内容】
【実用新案登録請求の範囲】
【請求項１】
第１タイプのオブジェクトを載置する第１トレイ；
該第１トレイに設置された第１識別要素；
第２タイプのオブジェクトを載置する第２トレイ；
前記第１識別要素を検出する検出モジュールであって、該検出モジュールは、前記第１識別要素を検出するときに、第１信号を生成し、前記第１要素が検出されないときに、第２信号を生成する、検出モジュール；
オリジナルデータを生成するように、前記第１タイプのオブジェクト及び前記第２タイプのオブジェクトを走査する走査モジュール；並びに
前記オリジナルデータを処理するために、前記検出モジュール及び前記走査モジュールに電気的に接続された画像処理モジュールであって、該画像処理モジュールは、前記第１信号を受信したときに、前記オリジナルデータをネガ調整するように、ガンマ調整、露出調整及びホワイトバランス調整のためのネガ調整パラメータを有する第１グループのパラメータを用い、前記第２信号を受信したときに、前記オリジナルデータをポジ調整するように、ガンマ調整、露出調整及びホワイトバランス調整のためのポジ調整パラメータを有する第２グループのパラメータを用いる、画像処理モジュール；
を有する走査装置。
【請求項２】
請求項１に記載の走査装置であって、前記第２トレイに設置された第２識別要素を更に有し、前記検出モジュールは、前記第２識別要素を検出するときに、前記第２信号を生成する、走査装置。
【請求項３】
請求項１に記載の走査装置であって、前記第１識別要素は反射器バーであり、前記検出モジュールは、前記反射器バーを検出する光センサを有する、走査装置。
【請求項４】
請求項１に記載の走査装置であって、前記第１識別要素は磁気バーであり、前記検出モジュールは、前記磁気バーを検出する磁気センサを有する、走査装置。
【請求項５】
請求項１に記載の走査装置であって、前記第１識別要素はＲＦＩＤタグであり、前記検出モジュールは、前記ＲＦＩＤタグを検出するＲＦＩＤリーダを有する、走査装置。
【請求項６】
請求項１に記載の走査装置であって、前記検出器モジュールはボタンスイッチを有し、前記第１識別要素は、前記第１信号を生成する前記ボタンスイッチを有する溝である、走査装置。
【請求項７】
請求項１に記載の走査装置であって、前記検出器モジュールはボタンスイッチを有し、前記第１識別要素は、前記第１信号を生成する前記ボタンスイッチを押す押し上げスイッチである、走査装置。
【請求項８】
請求項１に記載の走査装置であって、前記第１タイプのオブジェクトはネガであり、前記第２タイプのオブジェクトはポジである、走査装置。